(57)【特許請求の範囲】
【請求項１】
空気を通過させる第１及び第２のフィルタ材と、
前記第１及び第２のフィルタ材を直線状に並べて接続した状態で接続部で保持し、その接続部で折り曲げ自在に接続した第１及び第２のフィルタ保持部材とを備え、
前記第１及び第２のフィルタ保持部材が直線状に並んだ状態で、装置本体のフィルタ挿入口からスライドさせることで、装置本体内部に収納させるようにしたフィルタ装置であり、
前記第１及び第２のフィルタ保持部材を折り曲げ自在に接続する構成として、前記接続部で一方の方向に折り曲げ自在で、かつ前記接続部から離れた箇所で、第１のフィルタ保持部材の端に設けた突起の先端と、第２のフィルタ保持部材の端に設けた突起の先端とが接することで、前記一方の方向とは反対の方向には折り曲げができない状態で前記直線状の状態が維持されるようにした
フィルタ装置。
【請求項２】
前記接続した箇所で折り曲げることで、前記第１のフィルタ保持部材と前記第２のフィルタ保持部材を重ねることができ、その重ねた状態を保持する係止機構部を設けた
請求項１記載のフィルタ装置。
【請求項３】
前記第１及び第２のフィルタ保持部材で保持された第１及び第２のフィルタ材は、それぞれが２枚のフィルタ材を所定の隙間を空けて配置したフィルタ材で構成した
請求項２記載のフィルタ装置。
【請求項４】
装置本体内部に外気を取り込む吸気口と、
前記吸気口で取り込まれた空気を通過させる第１及び第２のフィルタ材と、
前記第１及び第２のフィルタ材を直線状に並べて接続した状態で接続部で保持し、その接続部で折り曲げ自在に接続した第１及び第２のフィルタ保持部材と、
前記吸気口から取り込まれて、前記第１及び第２のフィルタ材を通過した外気を送り込んで、冷却させる光学ブロックと、
前記第１及び第２のフィルタ保持部材を前記直線状の方向にスライドさせることで、前記第１及び第２のフィルタ材を保持した前記第１及び第２のフィルタ保持部材が装置本体内部に収納されるフィルタ挿入口とを備え、
前記第１及び第２のフィルタ保持部材を折り曲げ自在に接続する構成として、前記接続部で一方の方向に折り曲げ自在で、かつ前記接続部から離れた箇所で、第１のフィルタ保持部材の端に設けた突起の先端と、第２のフィルタ保持部材の端に設けた突起の先端とが接することで、前記一方の方向とは反対の方向には折り曲げができない状態で前記直線状の状態が維持されるようにした
プロジェクタ装置。
【請求項５】
前記接続した箇所で折り曲げることで、前記第１のフィルタ保持部材と前記第２のフィルタ保持部材を重ねることができ、その重ねた状態を保持する係止機構部を設けた
請求項４記載のプロジェクタ装置。
【請求項６】
前記第１及び第２のフィルタ保持部材で保持された第１及び第２のフィルタ材は、それぞれが２枚のフィルタ材を所定の隙間を空けて配置したフィルタ材で構成した
請求項５記載のプロジェクタ装置。
【発明の詳細な説明】
【技術分野】
【０００１】
本発明は、フィルタ装置及びそのフィルタ装置を備えたプロジェクタ装置に関し、特に外気を取り込む場合に必要なフィルタ装置及びそのフィルタ装置を備えたプロジェクタ装置に適用される技術に関する。
【背景技術】
【０００２】
従来、画像を投射する画像投射装置であるプロジェクタ装置などの電子機器においては、機器の動作に伴って生じる内部の処理部の発熱を冷却するために、外部から空気を取り込んで、その取り込んだ空気で冷却させる冷却機構を備えている。
【０００３】
冷却用の空気を機器が取り込む際には、外部からの空気をフィルタに送り、そのフィルタで塵や埃などを取り除いた上で、機器内部に取り込むようにしてある。フィルタで塵や埃などを取り除いた空気とすることで、機器内部への塵や埃などの混入による悪影響を除去できる。
この種のフィルタは、ある程度の機器の使用ごとに洗浄や交換などのメンテナンスが必要であり、機器に対して着脱できる構造としてある。
【０００４】
従来のプロジェクタ装置のフィルタの着脱機構としては、例えば比較的簡単な機構としては、外気取り込み口そのものを、フィルタで覆う構成とした上で、その外気取り込み口にフィルタを保持した枠材を、着脱できる機構としたものがある。
【０００５】
これに対して、フィルタを保持した枠材を、機器本体の側面からスライドさせて、フィルタを機器内部に収納させて、機器内部の外気取り込み用のダクトの途中にフィルタを配置するようにしたものがある。このような機構とすることで、外側から見える外気取り込み口にフィルタを配置する必要がなく、比較的良好な機器のデザインで、フィルタを着脱できる機構とすることができる。
【０００６】
特許文献１には、プロジェクタ装置において、図３などにフィルタ２４１を空気取り入れ口に貼り付けるように配置する例についての記載がある。
【先行技術文献】
【特許文献】
【０００７】
【特許文献１】特開平１０−１８６５１３号公報
【発明の概要】
【発明が解決しようとする課題】
【０００８】
ところで、この種の機器で、外気による冷却効率の向上を考えた場合、外気取り込み口のサイズやフィルタのサイズを大面積化する必要があるが、あまり大きなフィルタを配置するようすると、フィルタの着脱の作業性が悪くなる問題がある。大型のフィルタを配置すれば、それだけフィルタが目詰まりしにくく、フィルタ清掃する周期を長くでき好ましいが、大型のフィルタは配置に工夫が必要になる。
【０００９】
例えば、上述したフィルタを保持した枠材を機器本体の側面からスライドさせて、フィルタを機器内部に収納させる機構の場合、フィルタの長手方向のサイズが大きいと、フィルタを引き出した際に、引き出したフィルタが壁などに当たってしまう可能性がある。特にプロジェクタ装置は、天井などの室内の所定箇所に固定して使用されることが多く、壁際に固定されたプロジェクタ装置で、メンテナンス時に装置から引き出したフィルタが、壁に当たってしまい、フィルタの交換が不可能になるケースが想定される。従って、フィルタの交換ができる程度の距離だけ離して、設置する必要があるが、フィルタの大型化を行うと、それだけフィルタの交換に必要な距離も増大して、設置上の制約も増える問題があった。
【００１０】
本発明はかかる点に鑑みてなされたものであり、外気を取り込む場合において、フィルタ交換時の制約を少なくすることを目的とする。
【課題を解決するための手段】
【００１１】
本発明は、機器本体内部に外気を取り込む吸気口を備えた機器用のフィルタ装置に適用される。
構成としては、吸気口で取り込まれた空気を通過させる第１及び第２のフィルタ材と、第１及び第２のフィルタ材を直線状に並べて接続した状態で接続部で保持し、その接続部で折り曲げ自在に接続した第１及び第２のフィルタ保持部材とを備える。
機器本体を構成するプロジェクタには、第１及び第２のフィルタ保持部材を直線状の方向にスライドさせることで、第１及び第２のフィルタ材を保持した第１及び第２のフィルタ保持部材が機器本体内部に収納されるフィルタ挿入口を備える。
第１及び第２のフィルタ保持部材を折り曲げ自在に接続する構成として、接続部で一方の方向に折り曲げ自在で、かつ接続部から離れた箇所で、第１のフィルタ保持部材の端に設けた突起の先端と、第２のフィルタ保持部材の端に設けた突起の先端とが接することで、一方の方向とは反対の方向には折り曲げができない状態で直線状の状態が維持されるようにした。
【００１２】
このように構成したことで、フィルタ挿入口から第１及び第２のフィルタ保持部材を挿入する際に、一方のフィルタ保持部材を折り曲げた状態で、他方のフィルタ保持部材を挿入することができる。従って、フィルタの挿入時及び抜き取り時に、２つのフィルタ保持部材を合計した長さよりも短い空間が本体の脇に確保できれば、フィルタの交換や清掃などが行える。
【発明の効果】
【００１３】
本発明によると、一方のフィルタ保持部材を折り曲げた状態で、他方のフィルタ保持部材を挿入することができ、２つのフィルタ保持部材を合計した長さよりも短い空間が本体の脇に確保できれば、フィルタの交換や清掃などが行える。従って、機器（装置）本体の設置に必要な周囲の空間を従来よりも狭くすることができ、機器本体を設置する上でのスペースに関する制約を従来よりも低減できる効果を有する。
【図面の簡単な説明】
【００１４】
【図１】本発明の一実施の形態による全体構成例を示す斜視図である。
【図２】本発明の一実施の形態によるフィルタ部材を一部挿入した状態の例を示す斜視図である。
【図３】図２例の状態を側面から示した側面図である。
【図４】本発明の一実施の形態による内部構成例を示す斜視図である。
【図５】本発明の一実施の形態による内部構成例を示す斜視図である。
【図６】本発明の一実施の形態によるフィルタ部材の構成例を示す斜視図である。
【図７】図６例のフィルタ部材の一部を分解して示す分解斜視図である。
【発明を実施するための形態】
【００１５】
本発明の一実施の形態を、以下の順序で説明する。
１．プロジェクタ装置の全体構成の説明（図１〜図３）
２．フィルタの構成の説明（図６，図７）
３．吸気口からの空気の流れの説明（図４，図５）
４．変形例について
【００１６】
［１．プロジェクタ装置の全体構成の説明］
図１は、本実施の形態の例のプロジェクタ装置の全体構成例を示した図である。
本実施の形態の例においては、内部の光学ブロックで光源からの光を表示パネルに照射し、その表示パネルを透過又は反射させることで形成された表示画像の像光である投射光を、投射レンズでスクリーンに投射して、画像表示を行うプロジェクタ装置である。
【００１７】
図１に示したように、箱形の筐体で構成されるプロジェクタ装置１０本体の先端側には投射レンズ１１を取り付けてあり、その投射レンズ１１から投射光を出射させる。
図１では、プロジェクタ装置１０の一方の側面と後端側を示してあり、側面には、２つの吸気口１２，１３が水平方向に並べて配置してある。その吸気口１２，１３で吸気した空気は、プロジェクタ装置１０内の光学ブロックに冷却用の空気流として吹き付ける構成としてある。吸気した空気が流れる詳細構成については後述するが、図１に示したフィルタ部材２０に取り付けられたフィルタ３１，３２（但しフィルタ３１は図１では図示せず）を通過させるようにしてある。図１では、このフィルタ部材２０を外した状態で示してある。
フィルタ部材２０は、本実施の形態の場合には、細長い形状としてあり、第１フィルタ保持部２１と第２フィルタ保持部２２との２つのフィルタ保持部を接続部２６で直線状に接続した形状としてある。この接続部２６では、一方のフィルタ保持部を他方のフィルタ保持部に対して折り曲げることが自在に可能な構成としてある。フィルタ部材２０の具体的構成については後述する。
【００１８】
プロジェクタ装置１０本体の後端部１５には、カバー１４が取り付けられ、図１ではそのカバー１４を外した状態で示してある。図１に示すように、カバー１４を外すことで、フィルタ挿入口１６が露出する。このフィルタ挿入口１６には、直線状に接続された２つのフィルタ部材２０の一端部２０ａから、フィルタ部材２０を直線状に挿入する構成としてある。フィルタ挿入口１６に完全に挿入した状態では、フィルタ部材２０の他端部２０ｂが、フィルタ挿入口１６から露出した状態になる。この他端部２０ｂには、取手部２８が設けてあり、その取手部２８をメンテナンス作業者が手で持って、フィルタ部材２０を引き出すことで、フィルタ部材２０の取り外しが可能になる。
【００１９】
図２は、フィルタ挿入口１６からフィルタ部材２０を途中（第２フィルタ保持部２２の途中）まで挿入した状態を示してある。
この図２のように第２フィルタ保持部２２だけが挿入されて、第１フィルタ保持部２１がフィルタ挿入口１６から外に出た状態では、接続部２６を支点として、第１フィルタ保持部２１を上側に折り曲げることが可能である。
図３についても、図２と同じ状態を側面から見た図であり、第１フィルタ保持部２１を折り曲げて上方に引き上げられた状態を示している。
従って、図３に示したように、例えばプロジェクタ装置１０の後端部１５から壁９０までの距離Ｌとして、フィルタ部材２０の長さの約半分（即ち各フィルタ保持部２１，２２の長さ）より若干長い程度で、フィルタ部材２０の交換が可能になる。
【００２０】
［２．フィルタの構成の説明］
次に、図６及び図７を参照して、本実施の形態のフィルタ部材２０の構成例について説明する。
図６は、フィルタ部材２０全体を示した斜視図であり、図７は第２フィルタ保持部２２を分解して示してあり、第１フィルタ保持部２１は組み立てた状態としてある。第１フィルタ保持部２１と第２フィルタ保持部２２は、フィルタを保持するための構成については図７に分解して示した第２フィルタ保持部２２側の構成と同一である。
【００２１】
図６に示すように、フィルタ部材２０は、それぞれが樹脂形成された第１フィルタ保持部２１と第２フィルタ保持部２２とを、接続部２６で直線状に一体に接続してある。この接続部２６は、既に説明したように、折り曲げることが可能な自在に回動できる接続部としてある。具体的には、図６に示すように、第１フィルタ保持部２１の上面の接続部２６寄りの端部２１ａと、第２フィルタ保持部２２の上面の接続部２６寄りの端部２２ａとを、周囲よりも肉厚の薄い樹脂で接続させて接続部２６を構成してある。そして、その接続部２６の肉厚の薄さで、第１フィルタ保持部２１と第２フィルタ保持部２２とを折り曲げられる構成としてある。
【００２２】
例えば図６に矢印Ｘで示したように、フィルタ部材２０の他端部２０ｂを、一端部２０ａ側に接するように折り曲げることが可能としてある。
このように第１フィルタ保持部２１の上面と第２フィルタ保持部２２の上面とが接するように折り曲げた状態では、一端部２０ａ側に設けた係合部２９ａと、他端部２０ｂ側に設けた係合部２９ｂとが嵌って、その折り曲げられた状態が維持されるようにしてある。すなわち、係合部２９ａ、２９ｂは第１フィルタ保持部２１と第２フィルタ保持部２２の重ねた状態を保持する係止機構部として作用する。
フィルタ部材２０を取り付け前に輸送する際、或いはメンテナンス時に交換用に輸送する際には、その折り曲げられた状態で運ぶことで、細長い形状のフィルタ部材２０の長さを小さくして運搬することが可能になる。
【００２３】
なお、図６に示されるように、第１フィルタ保持部２１と第２フィルタ保持部２２とを直線状に並べた状態では、接続部２６よりも下側の位置で、第１フィルタ保持部２１側の突起２１ｂの先端と、第２フィルタ保持部２２側の突起２２ｂの先端とが接する。この突起２１ｂ，２２ｂの先端同士が接することで、第１フィルタ保持部２１と第２フィルタ保持部２２とを反対側に折り曲げることは出来ないように規制してある。即ち、矢印Ｘで示したように、第１フィルタ保持部２１を上側に持ち上げるように曲げることはできても、第１フィルタ保持部２１を下側に曲げることはできない。
【００２４】
また、フィルタ部材２０の第１フィルタ保持部２１と第２フィルタ保持部２２とには、それぞれの両側面に突条部２７を設けてある。但し、図６及び図７では、一方の側面の突条部２７だけが示されており、他方の側面については、図示を省略する。
そして、図１に示したフィルタ挿入口１６にフィルタ部材２０を挿入させた際には、後述するダクト部７０に設けた溝１６ａに、この突条部２７が嵌ることで、フィルタ部材２０が直線状にスライドする。
【００２５】
次に、図７を参照して、第１フィルタ保持部２１と第２フィルタ保持部２２でフィルタ３１，３２を保持する機構について説明する。先に述べたように、第１フィルタ保持部２１と第２フィルタ保持部２２とで、フィルタ３１，３２を保持するための構成は同一である。従って、以下の説明では図７を参照して第２フィルタ保持部２２のフィルタ配置構成を説明するが、第１フィルタ保持部２１についても全く同一である。
【００２６】
図７に示されるように、第２フィルタ保持部２２を構成する樹脂製の枠の下側には、保持枠２３が設けてあり、フィルタ３１の下面を、その保持枠２３で支える構成としてある。
保持枠２３の上には、スポンジ状の樹脂シートや不織布などで構成されたフィルタ３１が配置される。
このフィルタ３１の隅には、孔３１ａが４箇所に設けてあり、保持枠２３の内側の４箇所の突起部２４（２箇所だけを図示）を、このフィルタ３１の孔３１ａに嵌めることで、フィルタ３１の位置が固定される。
【００２７】
フィルタ３１上には、樹脂部材で構成される枠状のスペーサ４０が配置され、そのスペーサ４０の上に、フィルタ３２が配置される。フィルタ３２についても、スポンジ状の樹脂シートや不織布などで構成されるが、本例の場合には、このフィルタ３１の方がフィルタ３２よりも空気を通過させる隙間が細かい素材で構成させてあり。
【００２８】
フィルタ３２についても、隅には、孔３２ａが４箇所に設けてあり、スペーサ４０の四隅の突起部４１を、このフィルタ３２の孔３２ａに嵌めることで、フィルタ３２の位置が固定される。
さらに、フィルタ３２の上に、押え部材５０を載せて、フィルタ３２の上面を押える構成としてある。押え部材５０は、突起部５１を片側３箇所ずつに設けてあり、第２フィルタ保持部２２本体の側面側の６箇所の係止部２５に、それぞれの突起部５１を嵌めることで、押え部材５０が固定されて、フィルタ３１，３２の位置が固定される。
【００２９】
このように、第１フィルタ保持部２１と第２フィルタ保持部２２のそれぞれで、２枚のフィルタ３１，３２が所定の間隔を開けて配置されることになり、合計で４枚のフィルタで外部から取り込まれる空気に含まれる塵や埃が除去される。
【００３０】
［３．吸気口からの空気の流れの説明］
次に、図１に示した吸気口１２，１３から取り込んだ空気の流れについて、図４及び図５を参照して説明する。
図４は、プロジェクタ装置１０内部の光学ブロック６０の外形形状と、その光学ブロック６０の脇に配置されたダクト部７０とを示した図で、プロジェクタ装置１０の外形形状（筐体の形状）は、仮想線（二点鎖線）で示してある。この図４に示したダクト部７０内にフィルタ部材２０が水平に配置されるが、図５では、さらに、ダクト部７０を除いた構成（即ちフィルタ部材２０が見える状態）で示してある。
【００３１】
図４に示したように、ダクト部７０は、図１に示した吸気口１２，１３の配置位置と対応した側面に、開口部７３が複数連続して設けてあり、そのダクト部７０の下側に、フィルタ部材２０が配置してある。
さらに、フィルタ部材２０の下側には、２つのシロッコファン７１，７２が配置してあり、フィルタ部材２０を通過した空気を、隣の光学ブロック６０の下側に吹き付ける構成としてある。２台のシロッコファン７１，７２で、光学ブロック６０の発熱箇所である、表示パネル部６２が配置された箇所に外部からの空気を吹き付け、冷却する構成としてある。本例の場合には、表示パネル部６２として３枚の表示パネルが配置してあり、その３枚の表示パネルへの空気の供給を、２台のシロッコファン７１，７２で分担する構成としてある。また、光学ブロック６０のもう１つの発熱部である光源部６１についても、シロッコファン７１，７２からの空気が供給されて、冷却される構成としてある。
【００３２】
図５に示したフィルタ部材２０の配置状態から判るように、２台のシロッコファン７１，７２は、フィルタ部材２０の真下に配置してある。従って、ダクト部７０の開口部７３（つまり吸気口１２，１３）から取り込んだ外気が、フィルタ部材２０の４枚のフィルタ３１，３２を通過してからシロッコファン７１，７２に届き、塵や埃が除去された空気がシロッコファン７１，７２に供給されるようになる。
【００３３】
以上説明したように本実施の形態のプロジェクタ装置１０は、冷却用の空気を清浄するフィルタとして比較的大面積のフィルタを配置してあり、ほぼ側面全体の長さに渡るフィルタ部材２０としてあるが、そのフィルタ部材２０の着脱が少ないスペースで行える。
即ち、フィルタ部材２０として、図２や図３に示したように中央部で折り曲げ可能な構成としたことで、図３に示したように、設置位置の後端部に近接して壁９０がある場合でも、フィルタ部材２０の長さの約半分の長さＬだけあれば、交換が可能である。
従って、大型のフィルタによる清掃や交換の周期を長くできる構成とした上で、プロジェクタ装置１０の周囲に必要な空間が狭くなり、プロジェクタ装置本体を設置する上でのスペースに関する制約を従来よりも低減できる効果を有する。
【００３４】
また、フィルタ部材２０を構成する第１フィルタ保持部２１と第２フィルタ保持部２２を折り曲げられる構成として、単に両保持部２１，２２を接続する樹脂の肉厚を薄くするだけとしたため、両保持部２１，２２を樹脂成形する際に同時に接続部が構成できる。従って、折り曲げ可能な接続部を簡単かつ低コストに構成できる効果を有する。
【００３５】
さらに、フィルタ部材２０を取り付け前に輸送する際、或いはメンテナンス時に交換用に輸送する際には、図６に矢印Ｘで示すように半分に折り畳むことで、細長い形状のフィルタ部材２０の長さを小さくして運搬することが可能になる。従って、細長い形状のフィルタ部材２０を持ち運ぶ際の作業性が良い。
【００３６】
さらに、フィルタ部材２０は折り畳んで係合部２９ａ、２９ｂにより簡易ロックできる構造であるので、フィルタ３１、３２に付いた塵や埃を閉じ込めることができる。そのためフィルタ部材２０をプロジェクタ装置１０から取り出して運ぶ際に、塵や埃が飛び散ることを防止できる。
【００３７】
さらに、このように折り畳み可能なフィルタ部材２０の各保持部２１，２２に保持されたフィルタ３１，３２として、２枚のフィルタ３１，３２を隙間を空けて配置した構成とし、それぞれのフィルタ３１、３２を構成する素材の目の荒さを変えた構成とした。このため、最初に外気が通過するフィルタ３２で大きな塵や埃を除去した後、さらに、目の細かいフィルタ３１で小さな塵や埃が除去され、エアーフィルタとして非常に効率のよい空気清浄が行える効果を有する。しかも、そのような２枚の比較的大面積のフィルタ３１，３２を配置したフィルタ部材２０を上述したように小さく折り畳むことができ、作業効率がよい。
【００３８】
［４．変形例について］
なお、ここまでの説明では、画像を投射するプロジェクタ装置の冷却用の空気を清浄するフィルタに適用した例について説明したが、外気を機器内部に取り込む必要のあるその他の各種電子機器にも本発明は適用可能である。
また、プロジェクタ装置などの機器本体にフィルタ部材を挿入する挿入口の位置や、吸気口の位置についても、図１などに示した位置は一例であり、本発明はこれらの位置に限定されるものではない。
各フィルタ保持部２１，２２が、それぞれ２枚のフィルタ３１，３２を保持する構成についても一例であり、それぞれ１枚のフィルタだけを配置する構成としてもよい。
また、本実施の形態のフィルタ部材２０は、折り曲げ箇所を１箇所として半分に折り曲げられる構成としたが、２箇所以上の折り曲げ箇所を設ける構成としてもよい。
【符号の説明】
【００３９】
１０…プロジェクタ装置、１１…投射レンズ、１２，１３…吸気口、１４…カバー、１５…後端部、１６…フィルタ挿入口、２０…フィルタ部材、２１…第１フィルタ保持部、２２…第２フィルタ保持部、２３…保持枠、２４…突起部、２５…係止部、２６…接続部、２７…突条部、２８…取手部、２９ａ，２９ｂ…係合部、３１，３２…フィルタ、４０…スペーサ、４１…突起部、５０…押え部材、５１…突起部、６０…光学ブロック、６１…光源部、６２…表示パネル部、７０…ダクト部、７１，７２…シロッコファン、７３…開口部
【図１】
0005589441.tif 000002
【図２】
0005589441.tif 000003
【図３】
0005589441.tif 000004
【図４】
0005589441.tif 000005
【図５】
0005589441.tif 000006
【図６】
0005589441.tif 000007
【図７】
0005589441.tif 000008